(57)【特許請求の範囲】
【請求項１】
複数の被制御部、動作制御コマンドを受信する制御コマンド受信手段、受信した前記動作制御コマンドに対応する前記被制御部に対し、当該動作制御コマンドに基づく動作制御を行う動作制御手段および受信した前記動作制御コマンドに対応する前記被制御部の動作制御後の動作状態に基づいてレスポンスコマンドを送信するレスポンスコマンド送信手段を有するオーディオ装置と、
前記オーディオ装置の少なくとも操作パネルを模した操作画面を表示する表示手段、前記操作画面の操作状態に応じて前記動作制御コマンドを生成する制御コマンド生成手段、生成した前記動作制御コマンドを送信する制御コマンド送信手段および前記動作制御コマンドを送信したオーディオ装置から送信されたレスポンスコマンドに基づいて前記表示手段における前記操作画面を更新する操作画面更新手段を有する制御装置と、
を備えたことを特徴とするオーディオシステム。
【請求項２】
請求項１記載のオーディオシステムにおいて、
前記制御装置は、前記操作画面を表示するためのグラフィックデータを記録した記録媒体から前記グラフィックデータを読み出す読出手段を備え、
前記表示手段は、前記グラフィックデータに基づいて前記操作画面を表示する
ことを特徴とするオーディオシステム。
【請求項３】
請求項１または２記載のオーディオシステムにおいて、
前記オーディオ装置は、複数の操作子を有し、当該オーディオ装置は、前記複数の操作子の操作あるいは前記動作制御コマンドに基づいて前記被制御部の動作制御を行う、
ことを特徴とするオーディオシステム。
【請求項４】
請求項１ないし請求項３のいずれかに記載のオーディオシステムにおいて、
前記オーディオ装置と前記制御装置との間はＵＳＢインターフェースを介して接続されている
ことを特徴とするオーディオシステム。
【発明の詳細な説明】
【０００１】
【発明の属する技術分野】
本発明は、オーディオシステムに係り、特にオーディオ装置に制御装置を接続した場合にオーディオ装置と制御装置との間の動作状態の同期をとるための技術に関する。
【０００２】
【従来の技術】
図９にスタンドアロン型の従来のオーディオ装置としてアンプ装置の概要構成ブロック図を示す。
アンプ装置ＡＳは、外部のＣＤプレーヤからアナログオーディオ信号が入力されるＣＤプレーヤ用信号接続端子Ｔ１、外部のチューナからアナログオーディオ信号が入力されるチューナ用信号接続端子Ｔ２、第１補助接続端子Ｔ３、第２補助接続端子Ｔ４に接続されるとともに、図示しないＤ／Ａ変換回路およびＡ／Ｄ変換回路を有する入力セレクタＳＬと、ディジタル信号処理装置（ＤＳＰ；Digital Signal Processor）を有し、入力セレクタＳＬを介して入力されるアナログオーディオ信号を増幅してスピーカ端子Ｔｓを介して図示しないスピーカに出力するオーディオアンプ部ＡＭと、アンプ装置ＡＳ全体を制御するＣＰＵと、ＤＳＰ用の各種プログラムおよびＤＳＰ用データ並びに各種制御用プログラムおよび制御用データを格納するＲＯＭと、作業エリアとして機能し、各種データを一時的に記憶するＲＡＭと、選択中の音源、ＤＳＰモードなどの各種情報を表示する表示部ＤＳと、各種操作キーが設けられた操作パネルＰＮと、を備えて構成されている。
【０００３】
この場合において、入力セレクタＳＬ、ＣＰＵ、ＲＯＭ、ＲＡＭ、表示部ＤＳおよび操作パネルＰＮは、バス（ＢＵＳ）を介して相互に接続されている。
次に概要動作を説明する。
ＤＳＰを行わない場合には、ユーザが操作パネルの図示しない選択スイッチを操作すると、操作パネルの操作状態はバスを介してＣＰＵに通知され、ＣＰＵの制御下で入力セレクタＳＬがいずれかの接続端子をオーディオアンプ部ＡＭに接続する。
この結果、オーディオアンプ部ＡＭは、入力セレクタＳＬを介して外部の接続機器から入力されるアナログオーディオ信号を増幅して、スピーカ端子Ｔｓを介してスピーカから放音する。
これと並行して表示部ＤＳには、選択した音源の情報（例えば、ＣＤプレーヤ）等が表示されることとなる。
【０００４】
また、ＤＳＰを行う場合には、ユーザが操作パネルの図示しない選択スイッチおよび図示しないＤＳＰモード選択スイッチを操作すると、操作パネルの操作状態はバスを介してＣＰＵに通知され、ＣＰＵの制御下で入力セレクタＳＬがいずれかの接続端子から入力されるアナログオーディオ信号をＡ／Ｄ変換してＲＡＭに順次格納する。
これに伴いオーディオアンプ部ＡＭのＤＳＰは、選択されたＤＳＰモード（図では、「ＨＡＬＬ」、「ＪＡＺＺ」、「ＲＯＣＫ」、「ＤＩＳＣＯ」の４つのモードを示している。）に対応するプログラムをＲＯＭから読み出し、ＤＳＰ内の図示しないＲＡＭに格納されたディジタルオーディオ信号を処理し、出力する。これによりオーディオアンプ部ＡＭは、入力セレクタＳＬを介して音場処理が施されたアナログオーディオ信号を増幅して、スピーカ端子Ｔｓを介してスピーカから放音する。
これと並行して表示部ＤＳには、選択した音源の情報（例えば、ＣＤプレーヤ）および選択したＤＳＰモード（例えば「ＪＡＺＺ」）等が表示されることとなる。
【０００５】
【発明が解決しようとする課題】
以上の説明のように、従来のスタンドアロン型のオーディオ装置においては、操作パネルＰＮの操作と、実際の動作制御は完全な従属関係にあるため、表示部ＤＳの表示内容と実際の動作状態とが不一致するということはなかった。
ところで、近年のコンピュータの普及に伴い、従来はコンピュータのおまけ的な機能であったサウンド機能についても、スタンドアロン型のオーディオ装置と同様の能力が要求されるようになってきた。
これを実現するための一手法としてオーディオ装置をインターフェースを介してコンピュータに接続し、コンピュータ側で制御を行うように構成することが考えられる。
【０００６】
しかしながら、この場合、コンピュータの動作とオーディオ装置の動作とは独立しているため、例えば、コンピュータ側からオーディオ装置側に制御用データを送ったとしても、途中でデータが壊れてしまったような場合には、コンピュータ側で把握しているオーディオ装置の動作状態と、実際のオーディオ装置の動作状態とで不一致が生じる可能性があった。
特にコンピュータのディスプレイ表示画面上で制御を行うべく、動作状態を表示するような場合には、表示画面上のオーディオ装置の動作状態と実際のオーディオ装置の動作状態とで不一致が生じ、ユーザの意図したとおりの制御が行えなくなる可能性があった。
そこで、本発明の目的は、制御装置（コンピュータ）のディスプレイ上にオーディオ装置の動作、形状状態を表示しつつ、オーディオ装置の制御を行う場合でも、表示画面上のオーディオ装置の動作状態と実際のオーディオ装置の動作状態とで不一致が生じることなく、ユーザの意図したとおりの動作制御を行わせることが可能なオーディオシステムを提供することにある。
【０００７】
【課題を解決するための手段】
上記課題を解決するため、請求項１記載の構成は、複数の被制御部、動作制御コマンドを受信する制御コマンド受信手段、受信した前記動作制御コマンドに対応する前記被制御部に対し、当該動作制御コマンドに基づく動作制御を行う動作制御手段および受信した前記動作制御コマンドに対応する前記被制御部の動作制御後の動作状態に基づいてレスポンスコマンドを送信するレスポンスコマンド送信手段を有するオーディオ装置と、前記オーディオ装置の少なくとも操作パネルを模した操作画面を表示する表示手段、前記操作画面の操作状態に応じて前記動作制御コマンドを生成する制御コマンド生成手段、生成した前記動作制御コマンドを送信する制御コマンド送信手段および前記動作制御コマンドを送信したオーディオ装置から送信されたレスポンスコマンドに基づいて前記表示手段における前記操作画面を更新する操作画面更新手段を有する制御装置と、を備えたことを特徴としている。
【０００８】
請求項２記載の構成は、請求項１記載のオーディオシステムにおいて、前記制御装置は、前記操作画面を表示するためのグラフィックデータを記録した記録媒体から前記グラフィックデータを読み出す読出手段を備え、前記表示手段は、前記グラフィックデータに基づいて前記操作画面を表示することを特徴としている。
【０００９】
請求項３記載の構成は、請求項１または２記載のオーディオシステムにおいて、前記オーディオ装置は、複数の操作子を有し、当該オーディオ装置は、前記複数の操作子の操作あるいは前記動作制御コマンドに基づいて前記被制御部の動作制御を行う、ことを特徴としている。
【００１０】
請求項４記載の構成は、請求項１ないし請求項３のいずれかに記載のオーディオシステムにおいて、前記オーディオ装置と前記制御装置との間はＵＳＢインターフェースを介して接続されていることを特徴としている。
【００２０】
【発明の実施の形態】
次に本発明の好適な実施形態について、図面を参照して説明する。
［１］  オーディオシステムの構成
図１にオーディオシステムの概要構成ブロック図を示す。
オーディオシステム１は、大別すると、図示しないチューナー部を有するレシーバ装置（＝チューナ内蔵型アンプ装置）２と、レシーバ２に後述のＵＳＢインターフェイス１２を介して接続され、レシーバ装置２を制御するためのパーソナルコンピュータ１４と、を備えて構成されている。なお、ユーザの好みにより後述の第１補助接続端子２３にＭＤ（Mini Disc）プレーヤ１５を接続したり、後述の第２補助接続端子２４にテープデッキ１６等を接続することにより、オーディオシステム１の拡張を図ることも可能である。
【００２１】
［２］  レシーバ装置の構成
［２．１］  レシーバ装置の概要構成
レシーバ装置２は、図１に示すように、パーソナルコンピュータ１４のサウンドカードからのディジタルオーディオ信号を入力するためのディジタルオーディオ信号接続端子２１、パーソナルコンピュータ１４のサウンドカードからのアナログオーディオ信号を入力するためのアナログオーディオ信号接続端子２２、ＭＤプレーヤ等の外部ディジタルオーディオ（記録）再生装置を接続し、ディジタルオーディオ信号あるいはアナログオーディオ信号が入力される第１補助接続端子２３、テープデッキ１６等の外部オーディオ（記録）再生装置を接続し、アナログオーディオ信号が入力される第２補助接続端子２４が接続されるとともに、後述のＵＳＢインターフェイス１２を介してＵＳＢ経由のオーディオ信号ＰＣ−Ｕが入力され、図示しないＡ／Ｄ変換回路を有する入力セレクタ３と、入力セレクタ３を介して入力されるアナログオーディオ信号にディジタル信号処理（ＤＳＰ；Digital Signal Processing）を施した後、増幅してスピーカ端子５を介して図示しないスピーカに出力するオーディオアンプ部４と、各種操作キーが設けられた操作パネル６と、を備えて構成されている。
【００２２】
さらにレシーバ装置２は、レシーバ装置２全体を制御するＣＰＵ７と、選択中の音源、ＤＳＰモードなどの各種情報を表示する表示装置８と、ＤＳＰ用の各種プログラムおよびＤＳＰ用データ並びに各種制御用プログラムおよび制御用データを格納するＲＯＭ９と、作業エリアとして機能し、各種データを一時的に記憶するＲＡＭ１０と、ＵＳＢ接続端子１３を介してパーソナルコンピュータ１４との間のインターフェイス動作、すなわち、制御信号をバス１１へ入出力し、オーディオ信号ＰＣ−Ｕをセレクタ３へ出力するＵＳＢインターフェイス１２と、を備えて構成されている。
この場合において、オーディオアンプ部４は、オーディオ信号を増幅するアンプ部４１と、作業エリアとしても用いるＲＡＭ４９を内蔵し、ディジタル信号処理（ＤＳＰ；Digital Signal Processing）により音場処理を行う音場処理用プロセッサ１８と、を備えて構成されている。
また、入力セレクタ３、オーディオアンプ部４、操作パネル６、ＣＰＵ７、表示装置８、ＲＯＭ９、ＲＡＭ１０およびＵＳＢインターフェイス、は、バス（ＢＵＳ）１１を介して相互に接続されている。
さらにＲＡＭ１０およびＲＡＭ４９は、図示しないバックアップ電源が接続されており、例えば、１週間程度は、装置の電源を投入しない場合であっても、データを保持することが可能となっている。
【００２３】
［２．２］  レシーバ装置のフロントパネルの構成
図２にレシーバ装置２のフロントパネルの外観図を示す。
レシーバ装置２のフロントパネルには、それぞれが操作パネル６の一部を構成する複数のスイッチが設けられている。
より具体的には、レシーバ装置２のフロントパネルに複数のスイッチとして、音源選択を行うためのセレクタスイッチ６ａ1 〜６ａ4と、ＤＳＰを機能させるか否かを指示するためのＤＳＰスイッチ６ｂと、ＤＳＰスイッチ６ｂとは排他的にオン状態に設定することが可能で、チューナ部使用時にプリセット選局を機能させるか否かを指示するためのプリセットスイッチ６ｃと、ＤＳＰスイッチ６ｂのオン時には、一対でＤＳＰモード選択スイッチとして機能し、プリセットスイッチ６ｃのオン時には、一対で選局スイッチとして機能するアップ／ダウンスイッチ６ｄ、６ｅと、音量調整用ボリュームスイッチ６ｆと、電源をオン／オフするための電源スイッチ６ｇと、が設けられている。
【００２４】
また、レシーバ装置２のフロントパネルには、ヘッドホンを接続するためのヘッドホンジャック５ｐが設けられている。
さらに、レシーバ装置２のフロントパネルには、それぞれが表示装置８の一部を構成する表示部が設けられている。
より具体的には、レシーバ装置２のフロントパネルに表示部として、バックライトが設けられたドットマトリクス透過型液晶ディスプレイや蛍光（ＦＬ：Fluorescent Luminescence）表示素子ディスプレイなどにより構成され、各種情報を表示する多機能表示部８ｄと、現在選択されている音源がディジタルオーディオ信号接続端子２１あるいはアナログオーディオ信号接続端子２２を介して接続されているパーソナルコンピュータ１４のサウンドカードである場合あるいはＵＳＢ接続端子１３である場合に点灯する第１インジケータ８ｉ1と、現在選択されている音源が第１補助接続端子２３を介して接続されている外部オーディオ（記録）再生装置である場合に点灯する第２インジケータ８ｉ2と、現在選択されている音源が第２補助接続端子２４を介して接続されている外部オーディオ（記録）再生装置である場合に点灯する第３インジケータ８ｉ3と、現在選択されている音源が内蔵のチューナ部である場合に点灯する第４インジケータ８ｉ4と、電源オン時に点灯する電源インジケータ８ｐと、が設けられている。
【００２５】
［２．３］  レシーバ装置のリアパネルの構成
図３にレシーバ装置２のリアパネルの外観図を示す。
レシーバ装置２のリアパネルには、上述したスピーカ端子５、ディジタルオーディオ信号接続端子２１、アナログオーディオ信号接続端子２２、第２補助接続端子２４、上述した第１補助接続端子２３を構成し、外部ディジタル（記録）再生装置からディジタルオーディオ信号が入力されるディジタルオーディオ信号補助接続端子２３1 およびアナログオーディオ信号が入力されるアナログオーディオ信号補助接続端子２３2並びにＵＳＢ接続端子１３の他、アンテナ端子（ＦＭ用アンテナ端子、ＡＭ用アンテナ端子、グランド用端子）、アナログオーディオ信号用出力端子およびサブウーファ接続用端子などが設けられている。
【００２６】
［３］  ＵＳＢインターフェース規格における制御コマンド
ここで、ＵＳＢインターフェース規格における制御コマンドのデータ形式について説明する。
ＵＳＢインターフェース規格における制御コマンドには、パーソナルコンピュータ１４側からレシーバ装置２に対し値をセットするためのセットリクエストコマンドと、パーソナルコンピュータ１４側からレシーバ装置２に対し値を要求するためのゲットリクエストコマンドとがある。
また、ＵＳＢインターフェース規格における制御コマンドにおいて、オーディオ信号を扱う場合の制御コマンドのデータ形式としては、図４に示すように、オーディオクラス制御コマンドがある。
オーディオクラス制御コマンド２０は、オーディオクラス制御コマンドであることを表すための８バイトのオーディオクラスヘッダ部２０Ａと、Ｘバイト（Ｘは当該制御コマンドにより異なる）のデータ部２０Ｂと、を備えて構成されている。
【００２７】
ところで、このオーディオクラスコマンドのデータ形式を用いてセットリクエストコマンドを実現した場合には、パーソナルコンピュータ１４側からレシーバ装置２に対し値をセットするための指示は出せるが、この指示に対してレスポンスコマンドは出力されないため、従来技術の問題点で述べた場合と同様にパーソナルコンピュータ１４側で把握しているレシーバ装置２の動作状態と、実際のレシーバ装置２の動作状態が不一致する可能性がある。
そこで、本実施形態においては、オーディオクラスコマンドに代えて、その制御内容を自由に定義することが可能なＨＩＤクラスコマンドを用いている。
ＨＩＤクラスの制御コマンドを用いてオーディオ信号を扱う場合のＨＩＤクラス制御コマンド３０のデータ形式は、図５に示すように、８バイトのＨＩＤクラスヘッダ部３０Ａと、データ部３０Ｂと、を備えた構成となっている。
【００２８】
データ部３０Ｂは、レシーバ装置２に対し、当該ＨＩＤクラス制御コマンドがオーディオクラス制御コマンドに相当する制御コマンドであることを表す８バイトのヘッダ部（図中、＠ＰＥＴヘッダと記す。）３０Ｃと、８バイトのデータ部（図中、＠ＰＥＴデータと記す。）３０Ｄと、を備えて構成されている。
なお、本実施形態においては、レシーバ装置２の状態が変化した際にレシーバ装置２が自発的に発行する制御コマンドとしては、ボリュームコントロールなどのオーディオクラス制御コマンドに規定があるものであっても、ＨＩＤクラス制御コマンドを用いてパーソナルコンピュータ１４側に送信する構成を採用している。この場合には、オーディオクラス制御コマンドにおけるゲットリクエストコマンド用ヘッダをヘッダ部３０Ｃとし、対応するデータをデータ部３０Ｄとしている。
【００２９】
［４］  実施形態の動作
次に実施形態の動作を説明する。
［４．１］  ＧＵＩ画面の構成
パーソナルコンピュータ１４側で、レシーバ装置２を操作する場合には、ＧＵＩ（Graphic User Interface）操作画面により行っている。
そこで、具体的な実施形態の動作説明に先立ち、ＧＵＩ画面の構成について説明する。なお、以下に説明するＧＵＩ操作画面を表示するためのプログラムおよびグラフィックデータは、ＣＤ−ＲＯＭ等のディスク状記憶媒体、メモリカード等の半導体記憶媒体等の記憶媒体を用いてパーソナルコンピュータ１４に供給され、レシーバ装置２本体と対をなすＧＵＩ画面を表示するように構成されているものとする。
【００３０】
図６にＧＵＩ操作画面の一例を示す。
パーソナルコンピュータ１４のディスプレイ１４Ａには、レシーバ装置２のフロントパネルを模したＧＵＩ操作画面２Ｇが表示されている。
ＧＵＩ操作画面２Ｇには、音源選択を行うためのセレクタスイッチ６ａ1 〜６ａ4に相当するセレクタスイッチ操作部Ｇ６ａ1 〜６ａ4と、ＤＳＰを機能させるか否かを指示するためのＤＳＰスイッチ６ｂに相当するＤＳＰスイッチ操作部Ｇ６ｂと、チューナ部使用時にプリセット選局を機能させるか否かを指示するためのプリセットスイッチ６ｃに相当するプリセットスイッチ操作部Ｇ６ｃと、アップ／ダウンスイッチ６ｄ、６ｅに相当するアップ／ダウンスイッチ操作部Ｇ６ｄ、Ｇ６ｅと、音量調整用ボリュームスイッチ６ｆに相当する音量調整用ボリュームスイッチ操作部Ｇ６ｆと、電源をオン／オフするための電源スイッチ６ｇに相当する電源スイッチ操作部Ｇ６ｇと、がそれぞれレシーバ装置２のフロントパネルにおける配列と同様な配列をもって設けられている。
また、ヘッドホンがヘッドホンジャック５ｐに接続されている場合に、点灯するヘッドホンジャック表示部Ｇ５ｐが設けられている。
【００３１】
さらに各種情報を表示する多機能表示部８ｄに相当する多機能表示ウィンドウ部Ｇ８ｄと、第１インジケータ８ｉ1に相当する第１インジケータ表示部Ｇ８ｉ1と、第２インジケータ８ｉ2に相当する第２インジケータ表示部Ｇ８ｉ2と、第３インジケータ８ｉ3に相当する第３インジケータ表示部Ｇ８ｉ3と、第４インジケータ８ｉ4に相当する第４インジケータ表示部Ｇ８ｉ4と、電源オン時に点灯する電源インジケータ８ｐに相当する電源インジケータ表示部Ｇ８ｐと、が設けられている。
【００３２】
セレクタスイッチ操作部Ｇ６ａ1 〜６ａ4、ＤＳＰスイッチ操作部Ｇ６ｂ、プリセットスイッチ操作部Ｇ６ｃ、アップ／ダウンスイッチ操作部Ｇ６ｄ、Ｇ６ｅおよび電源スイッチ操作部Ｇ６ｇを用いて操作を行うためには、マウス等のポインティングデバイス装置によりカーソルＣＵＲを対応する操作部上に移動させ、たとえば、２ボタン型のマウスで操作を行う場合には、左ボタンをクリック（１回押す操作）により対応するレシーバ装置２の操作パネルのスイッチを押したものとして認識される。
また、音量調整用ボリュームスイッチ操作部Ｇ６ｆについては、たとえば、２ボタン型のマウスで操作を行う場合には、左ボタンをホールド（押し続ける操作）すると、ホールド期間中、音量調整用ボリュームスイッチ６ｆをボリュームアップ方向に回したものと認識され、右ボタンをホールドすると、ホールド期間中、音量調整用ボリュームスイッチ６ｆをボリュームダウン方向に回したものと認識される。
【００３３】
また、多機能表示ウィンドウ部Ｇ８ｄには、操作に対応する各種情報がレシーバ装置２の多機能表示部８ｄと同様に表示される。
さらに第１インジケータ表示部Ｇ８ｉ1、第２インジケータ表示部Ｇ８ｉ2、第３インジケータ表示部Ｇ８ｉ3、第４インジケータ表示部Ｇ８ｉ4および電源インジケータ表示部Ｇ８ｐはそれぞれ対応するインジケータと同様に点灯／非点灯状態となる。
【００３４】
［４．２］  ＧＵＩ画面を用いた操作
次にＧＵＩ画面を用いた実際の動作について図７を参照して説明する。
図７にＧＵＩ画面操作時のシーケンスフローチャートを示す。尚、以下の説明においては、具体的操作として、２ボタン型マウスを用いて音源選択操作を行う場合について説明する。
まず、パーソナルコンピュータ１４のディスプレイ１４Ａの表示画面上において、ユーザはマウスによりカーソルＣＵＲを操作して、選択しようとする音源が接続されたセレクタスイッチ操作部Ｇ６ａx（ｘ：１〜４）上に移動させる。そして、マウスの左ボタンをクリックする（ステップＳ１）。
これによりパーソナルコンピュータ１４の図示しないマイクロプロセッサは、カーソルＣＵＲ位置における操作部がいずれの操作部であるかを検出し、当該選択されたセレクタスイッチ操作部Ｇ６ａxに対応するセレクタスイッチ６ａxが押し下げられた場合に相当する動作制御コマンドをセットリクエストコマンドを生成し、ＵＳＢ接続端子１３を介してレシーバ装置２側に送信する（ステップＳ２）。
この時点においては、ディスプレイ１４Ａの表示画面上で選択されたセレクタスイッチ操作部Ｇ６ａxに対応するインジケータ表示部Ｇ８ｉxは点灯状態とはならない。
【００３５】
一方、レシーバ装置２のＣＰＵ７は、ＵＳＢ接続端子１３およびＵＳＢインターフェイス１２を介してセットリクエストコマンドを受信すると、当該セットリクエストコマンドに基づいて対応する処理を行う（ステップＳ３）。
上述の例の場合には、セレクタスイッチ６ａxが押し下げられた場合と同様の処理を行い、入力セレクタ３を制御して、セレクタスイッチ６ａxに対応する接続端子をオーディオアンプ４あるいはＤＳＰスイッチ６ｂが押し下げられている場合には図示しないＡ／Ｄ変換回路を介して音場処理用プロセッサ（ＤＳＰ）内のＲＡＭに接続し、インジケータ８ｉxを点灯状態とする。
そして、ＣＰＵ７は、コマンド処理後の結果を、レスポンスコマンドである新たなセットリクエストコマンドとしてバス１１、ＵＳＢインターフェイス１２およびＵＳＢ接続端子１３を介してパーソナルコンピュータ１４に送信する（ステップＳ４）。
【００３６】
パーソナルコンピュータ１４の図示しないマイクロプロセッサユニットは、レスポンスコマンドであるセットリクエストコマンドを受信すると、レシーバ装置２側において、セレクタスイッチ６ａxが押し下げられた場合と同様の処理が行われたと確認し、セレクタスイッチ操作部Ｇ６ａxに対応するインジケータ表示部Ｇ８ｉxを点灯状態とする。
従って、パーソナルコンピュータ１４のディスプレイ１４Ａ上で操作を行い、かつ、レシーバ装置２側で対応する動作が確実に行われた場合にのみ、ディスプレイ１４Ａ上のＧＵＩ操作画面２Ｇに当該操作結果が反映されるので、ＧＵＩ操作画面２Ｇの動作表示状態と実際のレシーバ装置２の動作状態とが不一致することがない。
なお、予め定めた所定時間内にレシーバ装置２からレスポンスコマンドが送信されない場合には、パーソナルコンピュータ１４がセットリクエストコマンドとして送信した動作制御コマンドは無効であるものとして、パーソナルコンピュータ１４側では、ＧＵＩ操作画面２Ｇの更新（対応インジケータの点灯表示など）は行わない。
【００３７】
［４．３］  操作パネルを用いた操作
次にレシーバ装置２の操作パネルを用いた実際の動作について図８を参照して説明する。
図８に操作パネル操作時のシーケンスフローチャートを示す。以下の説明においても、音源選択操作を行う場合について説明する。
まず、レシーバ装置２の操作パネルにおいて、セレクタスイッチ６ａx（ｘ：１〜４）のいずれか一つを操作（押し下げ）すると（ステップＳ１１）、ＣＰＵ７は、押し下げられたセレクタスイッチがいずれのセレクタスイッチであるかを検出し、当該押し下げられたセレクタスイッチに対応する動作制御処理を行う（ステップＳ１２）、その旨を制御コマンドであるセットリクエストコマンド（通知コマンド）としてバス１１、ＵＳＢインターフェイス１２およびＵＳＢ接続端子１３を介してパーソナルコンピュータ１４に送信する（ステップＳ１３）。
一方、パーソナルコンピュータ１４は、セレクタスイッチ６ａx（ｘ：１〜４）のいずれかが押し下げられた旨のセットリクエストコマンドを受信した場合には、当該セットリクエストコマンドを受信した旨を通知すべく、レスポンスコマンドである新たなセットリクエストコマンドとしてレシーバ装置２に送信し（ステップＳ１４）、セレクタスイッチ６ａxが押し下げられたと確認し、セレクタスイッチ操作部Ｇ６ａxに対応するインジケータ表示部Ｇ８ｉxを点灯状態とする（ステップＳ１５）。
【００３８】
しかしながら、レスポンスコマンドが所定時間内に送信されない場合には、ステップＳ１２におけるセットリクエストコマンドが確実にパーソナルコンピュータ１４側に送信されたか否かはレシーバ装置２側では判断できないので、送信されていないものとみなして（ステップＳ１６；Ｎｏ）、再度、セレクタスイッチ６ａxが操作された旨を制御コマンドであるセットリクエストコマンド（通知コマンド）としてバス１１、ＵＳＢインターフェイス１２およびＵＳＢ接続端子１３を介してパーソナルコンピュータ１４に送信し（ステップＳ１３）、パーソナルコンピュータ１４側からレスポンスコマンドが送信されるまで繰り返すこととなる。
【００３９】
なお、パーソナルコンピュータ１４側からレスポンスコマンドが送信されない場合であっても、レシーバ装置２は、操作パネルの操作状態に応じた動作制御を行うこととなる。これによりレシーバ装置２の操作レスポンスを向上させ、ユーザの使い勝手を向上するためである。
従って、レシーバ装置２側の操作状態は、確実にディスプレイ１４Ａ上のＧＵＩ操作画面２Ｇに反映されるので、ＧＵＩ操作画面２Ｇの動作表示状態と実際のレシーバ装置２の動作状態とが不一致することがない。
【００４０】
［５］  実施形態の効果
以上の説明のように本実施形態によれば、パーソナルコンピュータ１４側のＧＵＩ操作画面上で操作を行った場合であっても、レシーバ装置２の操作パネルで操作を行った場合であっても、ＧＵＩ操作画面の動作表示状態とレシーバ装置２の実際の動作状態が不一致することがなく、ユーザの意図したとおりの動作制御を行わせることができる。
また、レシーバ装置２の操作パネルを模したＧＵＩ操作画面、あるいは、操作パネル上の操作子配列と同様の配列を有するＧＵＩ操作画面を用いることで、普段あまりレシーバ装置２の実際の操作を行わない場合であっても、通常のＰＣ１４を用いてレシーバ装置２を操作することにより実際のレシーバ装置２の操作を習得することができる。
【００４１】
［６］  実施形態の変形例
［６．１］  第１変形例
以上の説明においては、パーソナルコンピュータとレシーバ装置との間のインターフェースとしてＵＳＢインターフェースを用いる場合について説明したが、インターフェース規格として、制御コマンドに対しレスポンスコマンドを返さないインターフェース規格を採用する装置についても同様に適用が可能である。
【００４２】
［６．２］  第２変形例
以上の説明においては、オーディオ装置としてレシーバ装置を例として説明したが、これに限らず、アンプ、チューナ、ＣＤプレーヤ、ＤＶＤプレーヤ、ＤＡＴプレーヤ等の他のオーディオ（ビジュアル）装置においても適用が可能である。
【００４３】
【発明の効果】
本発明によれば、オーディオ装置は、動作制御コマンドを受信し、受信した動作制御コマンドに対応する被制御部に対し、当該動作制御コマンドに基づく動作制御を行い、受信した動作制御コマンドに対応する被制御部の動作制御後の動作状態に基づいてレスポンスコマンドを制御装置側に送信する。
一方制御装置は、オーディオ装置の少なくとも操作パネルを模した操作画面を表示し、操作画面の操作状態に応じて動作制御コマンドを生成し、生成した動作制御コマンドをオーディオ装置に送信し、動作制御コマンドを送信したオーディオ装置から送信されたレスポンスコマンドに基づいて操作画面を更新するので、制御装置の操作画面とオーディオ装置の実際の動作状態が不一致することはなく、ユーザの所望の動作を行わせることができる。
【図面の簡単な説明】
【図１】  オーディオシステムの概要構成ブロック図である。
【図２】  レシーバ装置のフロントパネルの外観図である。
【図３】  レシーバ装置のリアパネルの外観図である。
【図４】  オーディオ制御コマンドのデータフォーマットの説明図である。
【図５】  ＨＩＤクラス制御コマンドのデータフォーマットの説明図である。
【図６】  ＧＵＩ操作画面の説明図である。
【図７】  ＧＵＩ操作画面を用いて操作を行う場合のシーケンスフローチャートである。
【図８】  操作パネルを用いて操作を行う場合のシーケンスフローチャートである。
【図９】  従来のオーディオアンプの概要構成ブロック図である。
【符号の説明】
１…オーディオシステム、２…レシーバ装置、ＧＵＩ操作画面２Ｇ…、３…入力セレクタ、４…オーディオアンプ部、５…スピーカ端子、６…操作パネル、６ａ1 〜６ａ4…セレクタスイッチ、６ｂ…ＤＳＰスイッチ、６ｃ…プリセットスイッチ、６ｄ、６ｅ…アップ／ダウンスイッチ、６ｆ…音量調整用ボリュームスイッチ、６ｇ…電源スイッチ、７…ＣＰＵ、８…表示装置、８ｄ…多機能表示部、８ｉ1…第１インジケータ、８ｉ2…第２インジケータ、８ｉ3…第３インジケータ、８ｉ4…第４インジケータ、８ｐ…電源インジケータ、９…ＲＯＭ、１０…ＲＡＭ、１１…バス、１２…ＵＳＢインターフェイス１４…パーソナルコンピュータ、２１…ディジタルオーディオ信号接続端子、２２…アナログオーディオ信号接続端子、２３…第１補助接続端子、２４…第２補助接続端子、Ｇ６ａ1 〜６ａ4…セレクタスイッチ操作部、Ｇ６ｂ…ＤＳＰスイッチ操作部、Ｇ６ｃ…プリセットスイッチ操作部、Ｇ６ｄ、Ｇ６ｅ…アップ／ダウンスイッチ操作部、Ｇ６ｆ…、電源スイッチ操作部Ｇ６ｇ…音量調整用ボリュームスイッチ操作部、Ｇ８ｄ…多機能表示ウィンドウ部、Ｇ８ｉ1…第１インジケータ表示部、Ｇ８ｉ2…第２インジケータ表示部、Ｇ８ｉ3…第３インジケータ表示部、Ｇ８ｉ4…第４インジケータ表示部、Ｇ８ｐ…電源インジケータ表示部。
【図１】
0004421010.tif 000002
【図２】
0004421010.tif 000003
【図３】
0004421010.tif 000004
【図４】
0004421010.tif 000005
【図５】
0004421010.tif 000006
【図６】
0004421010.tif 000007
【図７】
0004421010.tif 000008
【図８】
0004421010.tif 000009
【図９】
0004421010.tif 000010